Podtech/llm-jp-corpus-v4-ja_patent huggingface dataset:
(57)【要約】      （修正有）【課題】装着部品と脱着工具が完全に密着固定した状態で安全かつ確実に装着部品を取り外す事が可能となる脱着工具を提供する。【解決手段】脱着工具は、円柱棒１と、円柱棒の先端に設けた先端爪２と、円柱棒と略直角に設けたハンドル９とから構成され、円柱棒の中心に設けた貫通穴４と、両端にネジ部を有する連結棒５と、ネジ部の一方に装着して用いる蝶ナット８とを有する。先端爪を装着部品の溝に挿入して、貫通穴から挿入する連結棒の一方の雄ネジ６を装着部品の雌ネジに捻じ込み固定し、もう一方の雄ネジ７を蝶ナットにより円柱棒の上端部に締結して、ハンドルを回し装着部品を取り外す。【選択図】図１
0003195155.tif 000002
【実用新案登録請求の範囲】
【請求項１】
円柱棒と、前記円柱棒の先端に設けた先端爪と、前記円柱棒と略直角に設けたハンドルとから構成される脱着工具において、前記円柱棒の中心に設けた貫通穴と、両端にネジ部を有する連結棒と、前記ネジ部の一方に装着して用いる蝶ナットとを設けた事を特徴とする脱着工具。
【請求項２】
前記円柱棒の前記先端爪を有する側の径を細くした先端筒を有する請求項１記載の脱着工具。
【請求項３】
中心に連結棒を固定する雌ネジと先端爪を挿入する溝と外周に設けた雄ネジとを備えた装着部品に前記連結棒のネジ部の一方を捻じ込み固定して用いる事を特徴とする請求項１記載の脱着工具。
【考案の詳細な説明】
【技術分野】
【０００１】  この発明は、装着部品を脱着する工具に関するものである。
【背景技術】
【０００２】  従来の脱着工具は、先端爪を装着部品の溝に挿入して回転させて取り外していた。（例えば非特許文献１参照）
【先行技術文献】
【０００３】
【非特許文献１】  コールマンジャパン  リペアパーツカタログ  ｖｏｌ．７
【考案の概要】
【考案が解決しようとする課題】
【０００４】  従来の脱着工具は、先端爪のみで装着部品の溝に挿入して回転させて取り外していたが、装着部品は真鍮で製作され非常に弱く、先端爪が上下すると装着部品の溝を破損させる課題が有った。さらに装着部品の外周に設けたネジ部が固着している状態が多く、無理矢理に回転力を加える為に溝を破損させる事になり、この装着部品は奥まった場所に装着されている為に、その溝を破損させると取り外す事が非常に困難になる危険性も有った。【０００５】  この発明はこのような従来の脱着工具の課題を解決する目的でなされたものである。
【課題を解決するための手段】
【０００６】  上記課題を解決するための手段として本発明は、円柱棒と、円柱棒の先端に設けた先端爪と、円柱棒と略直角に設けたハンドルとから構成される脱着工具において、円柱棒の中心に設けた貫通穴と、両端にネジ部を有する連結棒と、ネジ部の一方に装着して用いる蝶ナットとを設けたものである。
また、第２の解決手段は、先端爪を有する側の径を対抗する端部の径より細くした先端筒を設けたものである。
また、第３の解決手段は、中心に連結棒を固定する雌ネジと先端爪を挿入する溝と外周に設けた雄ネジとを備えた装着部品に連結棒のネジ部の一方を連結して用いるものである。
上記第１の解決手段による作用は次の通りである。
円柱棒の先端爪を装着部品の溝に挿入して、円柱棒中央部の貫通穴から挿入する連結棒の一方の雄ネジを装着部品の雌ネジに捻じ込み固定して、もう一方の雄ネジを蝶ナットにより円柱棒の上端部に締結する事で、装着部品と脱着工具が完全に密着固定した状態となる。ハンドルを両手で持ち力を加えて回転させる事により、安全かつ確実に取り外す事が可能となる。【０００７】  このような特殊構造により回転力を確実に装着部品に伝える事が出来る為に真鍮製の弱い装着部品を破損させる危険性が全く無くなる。
【考案の効果】
【０００８】  以上説明してきたように、この発明は、先端爪及び円柱棒中央部の貫通穴から挿入する連結棒の雄ネジを装着部品の雌ネジに連結固定する二重構造で回転させる為に先端爪が上下に動くこと無く、回転力を確実に装着部品に伝える事が出来る為に、真鍮製の弱い装着部品を破損させる危険が全く無くなる効果がある。
【図面の簡単な説明】
【０００９】
【図１】本発明の実施の形態を示す斜視図である。
【図２】本発明の連結状態を示す斜視図である。
【図３】本発明の先端筒拡大図である。
【図４】本発明の装着部品に固定した断面図である。
【考案を実施するための形態】
【００１０】  以下、本発明の実施の形態を図１と図２を用いて説明する。
図１において、１は円柱棒、２は先端爪、３は先端筒、４は貫通穴、５は連結棒、６は装着部品側雄ネジ、７は蝶ナット側雄ネジ、８は蝶ナット、９はハンドル、１０は装着部品、１１は装着部品の雌ネジ、１２はシリンダーである。
【００１１】  円柱棒１と、円柱棒１の先端に設けた先端爪２と、円柱棒１と略直角に設けたハンドル９とから構成され、さらに円柱棒１の中心に設けた貫通穴４と、両端にネジ部を有する連結棒５と、蝶ナット側雄ネジ７に装着して用いる蝶ナット８とを設けて構成している。
【００１２】  図３において、３は先端筒である。
先端爪２を有する側の径を対抗する端部の径より細くして円柱棒１の先端に先端筒３を設けた構成としている。
【００１３】  図４において、１３は先端爪を挿入する溝、１４は外周に設けた雄ネジである。
中心に連結棒５を固定する雌ネジ１１と先端爪２を挿入する溝１３と外周に設けた雄ネジ１４とを備えた装着部品１０に連結棒５の装着部品側ネジ６を捻じ込み固定して用いる。
【００１４】  円柱棒１の直径は約φ２０ｍｍで先端筒３は約φ１２．５ｍｍとなり、装着部品１０が装着されている様々な径を有するシリンダー１２に対応する事が出来る。
【００１５】  先端爪２の幅は約２ｍｍ、高さは約２ｍｍで中央部に貫通穴４が有る為に２対となり、様々な溝形状を有する装着部品１０に対応する事が出来る。
【００１６】  貫通穴４の直径は約φ７ｍｍ、長さは円柱棒１と同じ約１５０ｍｍとなる。貫通穴４に挿入する連結棒５は長さ１６５ｍｍとなり、装着部品側雄ネジ６を装着部品１０の雌ネジ１１に捻じ込み固定して、もう一方の蝶ナット側雄ネジ７を蝶ナット８により円柱棒１上端部に締結する事により装着部品１０と確実に連結可能となる。
【００１７】  円柱棒１に隅肉溶接にて固定されるハンドル９の直径は約φ１０ｍｍで長さは約１４０ｍｍとなり、回転力を装着部品１０に確実に加える事が出来る。
【００１８】  円柱棒１は鋼材Ｓ４５Ｃの材質を使用して、さらに浸炭焼き入れ処理により強度６０ＨＲＣ程度の硬度を有する。
【００１９】  先端爪２の形状は横方向の衝撃に強くする為に、爪基部にＲを付けた加工とする事により強度を上げる事が可能となる。
【符号の説明】
【００２０】      １  円柱棒
２  先端爪
３  先端筒
４  貫通穴
５  連結棒
６  装着部品側雄ネジ
７  蝶ナット側雄ネジ
８  蝶ナット
９  ハンドル
１０  装着部品
１１  装着部品の雌ネジ
１２  シリンダー
１３  先端爪を挿入する溝
１４  外周に設けた雄ネジ
【図１】
0003195155.tif 000003
【図２】
0003195155.tif 000004
【図３】
0003195155.tif 000005
【図４】
0003195155.tif 000006
(57)【要約】      （修正有）【課題】地ベラの握持部に充填部材を設けて、手の把持した時の固定感と軽量化を備えた壁紙カット用地ベラを提供する。【解決手段】握持部１とヘラ板２からなる地ベラに於いて、握持部１の外周側面に凹溝を形成し、握持部１より比重の軽い充填部材４を凹溝に膨出するように埋め込んで、ヘラ板２の縦巾の中間部に適宜の貫通穴５を複数設けて握持部１の固定感と軽量化を図っている。【選択図】図１
0003195151.tif 000002
【実用新案登録請求の範囲】
【請求項１】
握持部とヘラ板から成る地ベラに於いて、前記握持部の外周側面に凹溝を長手方向に形成し、握持部より比重の軽い充填部材を凹溝に膨出するように埋め込んだことを特徴とする壁紙カット用地ベラ。
【請求項２】
前記ヘラ板の縦巾の中間部の長手方向に適宜の形状の貫通穴を複数設けたことを特徴とする請求項１記載の壁紙カット用地ベラ。
【考案の詳細な説明】
【技術分野】
【０００１】  本考案は、壁紙を貼った際の余剰部分をカットする時にカッターを案内するための道具で、握持部に充填部材を膨出するよう埋め込み、ヘラ板の縦巾の中間部の長手方向に貫通穴を設けた地ベラに関するものである。
【背景技術】
【０００２】  地ベラの握持部は巾広状の支持基板の上方の中央より立上がり状に延出されており、木製、プラスチック等の素材を利用し、これを板状に成型加工したものが広く利用されており、地ベラは長時間使用するにも関わらず、握持部の外形は単純な形状で、把持した手にフィット感がなく、また把持する手の引っ掛りを充分に確保することが出来ず、さらに握持部の軽量化も施されていなかった。また従来のヘラ板は軽量化の為の穴をヘラ板にランダムに設けているが、壁紙カットの際、ヘラ板には壁紙をゆっくり撫で押し当てられる様なしなやかな柔軟さがない。
【先行技術文献】
【特許文献】
【０００３】
【特許文献１】  実用平０６−０６４７７５号公報
【考案の概要】
【考案が解決しようとする課題】
【０００４】  従来、地ベラの握持部は板状に成型加工したものであるから、手で把持して壁紙にヘラ板を強く押しつけた場合、握持部に手の引っ掛りの箇所がないので滑りやすく固定感が悪く、そのため指や手のひらに余分な力が入ってしまい指や手に負担がかかり疲れやすい。また、握持部の固定感が悪いので細かい作業には不利になる欠点がある。さらに、従来の地ベラでは壁紙カットの際、ヘラ板を壁紙に強く押し当てカッターナイフで余剰部分の壁紙をカットする際、壁紙と下地との間の空気を含ませずに壁紙を密着することは困難であった。本考案は上記の問題点を解決するために、壁紙貼りの作業を迅速、的確に行うことが出来る壁紙カット用地ベラを提供することを目的としたものである。
【課題を解決するための手段】
【０００５】  本考案は上記目的を達成するために、握持部とヘラ板から成る地ベラに於いて、前記握持部の外周側面に凹溝を長手方向に形成し、握持部より比重の軽い充填部材を凹溝に膨出するように埋め込んでいる。なお凹溝は握持部のみならず支持基板まで延設してもよい。さらに薄肉のステンレス板等でなる金属板を切削加工等してなるヘラ板１の縦巾の中間部の長手方向に適宜の形状の貫通穴を複数設けて問題点を解決している。
【考案の効果】
【０００６】  上辻の様に、本考案の壁紙カット用地ベラは、握持部の外周側面に凹溝を長手方向に形成して、握持部より比重の軽い例えばＥＶＡ発砲樹脂のように軟質で弾力のある材料によって形成された充填部材を凹溝に膨出するように埋め込んであるので、手で把持した際、膨出している充填部材は凹溝と充填部材の間で圧縮変形して凹部に段差部が生じて、指や手のひらがこの段差部に引っ掛って滑りにくくなり、握持部の固定感が良好になり、細かい作業も有利になる。そして長時間の作業においても握持部の固定感があるので指、手のひらの疲労を極端に軽減し得るという利点がある。【０００７】  さらに、握持部より比重の軽い充填部材を握持部に使用しているので軽量化に繋がり手や腕の負担の軽減にもなる。【０００８】  また金属板を切削加工して形成されたヘラ板の縦巾の中間部の長手方向に適宜の形状の複数の貫通穴を設けることにより、壁紙カットの際、ヘラ板の先端を壁紙に押し当てた場合、ヘラ板の中間部の貫通穴の部分に集中的に曲げモーメントが作用するので、ヘラ板の中間部がほんの僅かだけ柔軟に湾曲して、ヘラ先端が壁紙をゆっくり撫で押し当てられるので、壁紙と下地との空気を押し出しながら進むことになるので壁紙と下地との間に空気を含ませずに壁紙を密着し接着を確実に行うことができる。【０００９】  そしてヘラ板に貫通穴を設けることにより軽量化になり、作業者の腕、手の負担が少なくなる。さらに貫通穴により視界が広がるので壁紙のしわ浮き等が発生していた場合でも、従来のようにヘラ板の死角で壁紙のしわ浮き等を見過ごして作業を進めてしまう事がなくなった。
【図面の簡単な説明】
【００１０】
【図１】本考案の壁紙カット用地ベラの一部切欠正面図である。
【図２】本考案の握持部の拡大断面図である。
【図３】本考案の把持した際の握持部の拡大断面図である。
【考案を実施するための形態】
【００１１】  以下、本考案の実施形態を図面に基づいて説明する。
１は地ベラの握持部である。２はステンレス等の薄板状の金属板を切削加工等で形成されたヘラ板で、握持部１を中央に立上がり状に配置させた巾広状の支持基板の下部にリベットで固定されている。３は握持部１の外周側面の長手方向に設けた凹溝である。なお、凹溝３は握持部のみならず支持基板まで延設しても良い。４は握持部１より比重の軽い充填部材で、凹溝３に膨出するように埋め込んである。５はヘラ板２の縦巾の中間部の長手方向に設けられた複数の適宜な形状の貫通穴である。６は手で把持した時、膨出している充填部材４が圧縮変形され凹溝３との間に生じる段差部である。
【００１２】  本考案の一実施例は上述の如き構成からなるものであるから、握持部１を手で把持した際、凹溝３に膨出するように埋め込んだ充填部材４が圧縮変形して凹溝３に段差部６が生じ、指や手のひらに引っ掛って滑りにくくなり、握持部１の固定感が良好になる。またヘラ板２の先端を壁紙に押し当てた時、ヘラ板２の中間部の長手方向に離間配列した貫通穴５の部分に集中的に曲げモーメントが作用するので、ヘラ板２の中間部が少し湾曲して、壁紙をゆっくり撫で押し当てられるので、壁紙と下地との間の空気を含ませずに接着が確実に出来、さらに貫通穴５によりヘラ板２による死角がなくなる。そしてヘラ板２に貫通穴５を設けたことや、握持部１の凹溝３に比重の軽い充填部材４を埋め込んだことによりヘラ本体の軽量化にもなった。
【産業上の利用可能性】
【００１３】  本考案は地ベラを製造する産業で利用される。
【符号の説明】
【００１４】    １  握持部
２  ヘラ板
３  凹溝
４  充填部材
５  貫通穴
６  段差部
【図１】
0003195151.tif 000003
【図２】
0003195151.tif 000004
【図３】
0003195151.tif 000005
(57)【要約】      （修正有）【課題】内容物を湿気から防ぐ、吸湿剤、乾燥剤を使わない防湿容器を提供する。【解決手段】網目、格子状等の穴あき通気構造を有した容器２の穴あき部位に、内側内壁に透湿面を内側、防水面を外側に配した透湿防水フィルム１を密着固定した容器としたことで、防湿容器を構成している。【選択図】図１
0003195156.tif 000002
【実用新案登録請求の範囲】
【請求項１】
網目、格子状等の穴あき通気構造を有した容器の、穴あき部位の内側内壁に透湿面を内側、防水面を外側に配した透湿防水フィルムを密着固定した防湿容器。
【考案の詳細な説明】
【技術分野】
【０００１】  本考案は、内容物を湿気から防ぐ防湿容器に関する。
【背景技術】
【０００２】  従来の防湿容器は、密閉された容器とその中に内蔵された吸湿剤、乾燥剤で構成されている。【０００３】  しかしながら、従来の吸湿剤、乾燥剤を内蔵した防湿容器においては、内蔵された吸湿剤、乾燥剤が湿気を吸収し飽和状態になり効果が失われると、吸湿剤、乾燥剤を取り替えなければならない欠点があった。
【先行技術文献】
【特許文献】
【０００４】
【特許文献１】  特開平９−６５９９２  公報
【特許文献２】  特開２０１２−４６２２４  公報
【特許文献３】  特開２０１２−４６２２５  公報
【特許文献４】  特開２０１２−１９７１１７  公報
【特許文献５】  実用新案３１９０４５４  公報
【考案の概要】
【考案が解決しようとする課題】
【０００５】  本考案は、以上のような従来の吸湿剤、乾燥剤の取り換えを必要とする欠点に鑑み、吸湿剤、乾燥剤を用いない防湿容器を提供することを目的としている。
【課題を解決するための手段】
【０００６】  上記目的を達成するために、本考案は容器に通気性を有する網目、格子状の穴あき部位を設け、その容器内側通気部位に透湿防水フィルムを透湿面を内側に、防水面を外側に配して、密着固定することによって内容収納物を湿気から防ぎ、防湿を保持する防湿容器を構成している。
【考案の効果】
【０００７】  以上の説明から明らかなように、本考案にあっては次に列挙する効果が得られる。
（１）容器に網目、格子状、穴あき等の通気性を有する部位を設け、その通気性を有する部位に透湿防水フィルムの透湿面を内側に、透湿防水フィルムの防水面を外側に配し、密着固定する構造によって構成されているので、容器内部収納物を湿気から防ぐことができる。【０００８】（２）前記（１）によって吸湿剤、乾燥剤を必要としない防湿容器ができる。
【図面の簡単な説明】
【０００９】
【図１】本考案を実施するための最良の形態の防湿容器の縦断面図である。
【図２】本考案を実施するための最良の形態の防湿容器の外観立面図である。
【図３】本考案を実施するための最良の形態の防湿容器の外観姿図である。
【図４】本考案を実施するための最良の形態の防湿容器の内外観姿図である。
【考案を実施するための形態】
【００１０】  以下、本考案の実施の形態を図に基づいて説明する。
【実施例１】
【００１１】  図１は、本考案の実施例の防湿容器の縦断面図である。通気穴がある容器の内部内壁に透湿防水フィルムが密着固定されている。
【実施例２】
【００１２】  図２は、本考案の実施例の防湿容器の外観立面図である。穴あき容器の外観で、穴の間から内壁に密着固定された透湿防水フィルムが覗いている。
【実施例３】
【００１３】  図３は、本考案の実施例の防湿容器の外観姿図である。穴あき容器の外観で、穴の間から内壁に密着固定された透湿防水フィルムが覗いている
【実施例４】
【００１４】  図４は、本考案の実施例の防湿容器の内外観姿図である。穴あき容器内壁の穴あき部に透湿防水シートが密着固定され、外側の穴あき部から内部の密着固定された透湿防水フィルムが覗いている。
【産業上の利用可能性】
【００１５】  本考案は、防湿容器を必要とする産業で利用される。
【符号の説明】
【００１６】    １  透湿防水フィルム
２  穴あき容器
３  穴あき蓋
【図１】
0003195156.tif 000003
【図２】
0003195156.tif 000004
【図３】
0003195156.tif 000005
【図４】
0003195156.tif 000006
(57)【要約】      （修正有）【課題】災害時に上下水道が使えなくなる際に、それに適した水の使用無しで、既設洋式トイレ上に機器を設置し、便袋の大、小の使用で、大便の時の形を小便の時の形に、叉その逆にも寸時に切換えの出来る形に変形するトイレを提供する。【解決手段】骨組みは帯状の部材とする。大便トイレの骨組みとして、部材Ａ１を、平面を対象にして内側の両端にコの字形部材脚２を、その内側にＵ字形部材３と４を、滑りの硬い関節で繋ぐ。小便トイレの骨組みとして、一方の関節より少し離れた位置にＵ字形部材５を滑りの硬い関節で繋ぐ。既設洋式トイレの便座の中心穴への取り付けとして、脚２のコの字形の各部両外側に６、７のＬ形部の先端の外側を固定する構造とする。【選択図】図１
0003195159.tif 000002
【実用新案登録請求の範囲】
【請求項１】
骨組は帯状部材として部材Ａ（１）を平面を対称に合わせて、その内側の両先端にコの字形部材の脚（２）を左右対称に、その内側にそれぞれＵ字形部材（３）と（４）を滑りの硬い関節で繋ぐ、一方の関節より少し離れた位置にＵ字形部材（５）を滑りの硬い関節で繋ぐ、脚（２）のコの字形の下側にＬ字形部材の取付けアーム（６）（７）をＬ字形の先端の外側の一方を固定したことを特徴とした災害用変形トイレ。
【考案の詳細な説明】
【考案の詳細な説明】
【技術分野】
【０００１】災害時に既設の洋式トイレの場所で使用出来るトイレに関するものである。
【背景技術】
【０００２】一般的には洋式トイレの便座とトイレ本体に取付ける便袋が主流であるが、既設の洋式トイレ上で大便と小便の両方が別々に分離して出来る災害用トイレは無い。
【考案が解決しようとする為の課題】
【０００３】災害時のトイレは上下水道が使用出来ないものとする考えが必要である。その際既設洋式トイレで水無しで出来るトイレが必要である。
その際に一日の大便と小便の使用回数が異なる故に小便に大便と同じ便袋を使用するのはもったないものである。不経済である。
それを大便は大袋、小便は小袋にと分離したのが、実用新案２００８−７５９９である。しかしその考案は、大便の骨組みのまま小便の骨組みへと切り換える方法では無かった。
大便は大便の骨組み、小便は小便の骨組みへと骨組み全体を各々組み換える方法であった。それを大便の骨組みの状態で小便用にＵ字形部材を一箇所動かすと、残りのＵ字形部材と脚の部材が、同時に動いてしまう不都合があった。
また置く方法が異なる。平面に置く方法であるのに対して既設洋式トイレの卵形の穴の中に落ちない設置の方法が必要である。
【課題を解決する為の手段】
【０００４】実用新案２００８−７５９９での部材を繋ぐ関節は各部の部材を同時に繋いでいる構造なので、Ｕ字形部材（５）を単独で動かす為に部材（１）（３）（６）の関節とは別の位置、即ち少し離れた位置に部材（５）の関節を設ける構造とする。
【０００５】設置方法は既設洋式トイレの便座のタマゴ形の穴の中心に本体を設置するので取付けアーム（８）（９）はタマゴ形の形状に合わせて吊るようにする。脚の  コノ字形部材の角部外側に、取り付けアーム（６）（７）のＬ字形部材の外側先端を固定して取付け角度の調整で、便座の穴の形状に合わせた吊り方での構造とする。
【考案を実施するための形態】
【０００６】以下、添付図面に従って実施例を説明する。
部材は帯状部材とする。部材Ａ（１）を平面を平行ににして両先端内側に、脚（２）コノ字形部材（２）と、その内側にＵ字形部材（３）と（４）を、滑りの硬い関節で繋ぐ、部材（３）の側の関節の位置より少し離れた位置にＵ形部材（５）を滑りの硬い関節で繋ぐ。Ｕ字形部材（５）を動かしても他の部材は同時に動かない。少し離れた位置は小便用小袋のサイズに合わせた位置となる〔図１〕。
【０００７】既設洋式トイレの便座のタマゴ形への取付けは、Ｕ字形部材の脚（２）の角部の両端外部に、取付け部材（６）（７）のＬ形部の先端外側を固定する。取り付け部材（６）（７）の便座上の位置は便座の穴の形状に沿って固定部の角度を調整し取付けの形状となる〔図２〕。
【考案の効果】
１、大便の大袋を小便に使用せず、小便は小袋にとなったので経済的になった。
２、便袋はポリ袋を使用出来るので袋は安価になった。
３、時に応じて凝固剤等の使用が出来るので、従来の便袋と同じ効果となる。
４、折り畳み構造に変形するので、収納容積が小さく、収納、運搬に便利となった。
【図面の簡単な説明】
【図１】既設洋式トイレ取付け平面図
【図２】Ａ−Ａ断面図
【図３】大袋取り付け側面図
【図４】小袋取り付け側面図
【図５】収納時平面図
【図６】大袋
【図７】小袋
【符号の説明】１、部材Ａ
２、脚コノ字形部材
３、Ｕ字形部材
４、Ｕ字形部材
５、Ｕ字形部材
６、Ｌ形取付けアーム
７、Ｌ形取付けアーム
８、大袋
９、小袋
１０、関節
１１、既設洋式トイレ
【図１】
0003195159.tif 000003
【図２】
0003195159.tif 000004
【図３】
0003195159.tif 000005
【図４】
0003195159.tif 000006
【図５】
0003195159.tif 000007
【図６】
0003195159.tif 000008
【図７】
0003195159.tif 000009
(57)【要約】      （修正有）【課題】通常ある屏風の中に自分好み又は趣味の物を入れ替え可能な、屏風を提供する。【解決手段】縁６と、縁６の開口部の背面に設けられたボード５と、縁６の開口部の前面に設けられた飾り縁３からなる屏風と、ボード５と飾り縁３との間の屏風内に取り付けられ、透明なアクリル、ガラス、プラスチック、ビニール、紙類の蓋１を備えた箱２とからなる蓋つき箱屏風において、箱２の中に写真、絵、刺繍、模型、貨幣紙幣、衣類、文字、押し花からなる装飾品を入れ、箱２の中の装飾品の入れ替えができる様にする。【選択図】図２
0003195138.tif 000002
【実用新案登録請求の範囲】
【請求項１】
屏風の中に透明なアクリル、ガラス、プラシチック、ビニール、紙類などの蓋付き箱を取り付け、箱の中に写真、絵、刺繍、模型、貨幣紙幣、衣類（着物、帯等）、文字、押し花等を入れ、箱の中の装飾品の入れ替えができる様にする壁掛け叉は床置き屏風。
【考案の詳細な説明】
【技術分野】
【０００１】本考案は、壁掛け又は床置き蓋付き箱屏風で、屏風内の箱に絵画、写真、文字、模型、貨幣紙幣、刺繍、衣類（着物、帯等）、押し花等を取り付け、透明なアクリル、ガス、プラシチック、ビニール、紙類等で蓋付き箱屏風は、壁掛け又は床置きにするものである。
【背景技術】
【０００２】絵画、写真、文字、刺繍、模型、貨幣紙幣、衣類（着物、帯等）、押し花等を屏風内の箱の中に入れ、透明なアクリル、ガラス、プラシチック、ビニール、紙類等の蓋で覆い、壁に掛ける又は床に置く蓋付き箱屏風である。
【考案の概要】
【０００３】絵画、写真、文字、刺繍、模型、貨幣紙幣、衣類（着物、帯等）、押し花等を屏風内の箱の中に取り付ける。取り付けた物を透明なアクリル、ガラス、プラシチック、ビニール又は紙類等の蓋で、中の装飾品を入れ替え又は保護するようにする。
【考案が解決しようとする課題】
【０００４】屏風内の装飾品を簡単に入れ替えできる様にする。
【課題を解決する為の手段】
【０００５】本考案は、屏風の中に蓋付き箱を取り付ける。
【考案の効果】
【０００６】本考案の蓋付き箱屏風は、絵画、写真、文字、刺繍、模型、貨幣紙幣、衣類（着物、帯等）、押し花等を屏風に入れ替え可能な、屏風にする。
【考案を実施するための形態】
透明な蓋付き箱を屏風の中に取り付ける。
【実施例】
【０００７】添付図面に従って一実施例を説明する。１は透明なアクリル、ガラス、プラシチック、ビニール、又は紙類の蓋、２は箱で、３は飾り縁、４は表紙、５はボード、６は縁（枠）。２の箱の中に装飾品を入れ、蓋付き箱屏風にする。
【図面の簡単な説明】
【０００８】
【図１】本考案の蓋付き箱屏風の実施例を示す全体面図である。
【図２】本考案の蓋付き箱屏風の実施例の詳細面図である。
【符号の説明】      １  透明な箱蓋
２  箱
３  飾り縁
４  表紙
５  ボード
６  縁（枠）
【図１】
0003195138.tif 000003
【図２】
0003195138.tif 000004
【手続補正書】
【提出日】平成26年10月7日(2014.10.7)
【手続補正１】
【補正対象書類名】実用新案登録請求の範囲
【補正対象項目名】全文
【補正方法】変更
【補正の内容】
【実用新案登録請求の範囲】
【請求項１】
縁と、前記縁の開口部の背面に設けられたボードと、前記縁の開口部の前面に設けられた飾り縁からなる屏風と、前記ボードと前記飾り縁との間の前記屏風内に取り付けられ、透明なアクリル、ガラス、プラスチック、ビニール、紙類の蓋を備えた箱とからなる蓋つき箱屏風風において、前記箱の中に写真、絵、刺繍、模型、貨幣紙幣、衣類、文字、押し花からなる装飾品を入れ、前記箱の中の前記装飾品の入れ替えができる様にすることを特徴とする蓋つき箱屏風。
(57)【要約】      （修正有）【課題】洋服を掛けるハンガーのフックを出し入れするための開口部を、隙間なく閉めることが出来るようにして、虫がカバー内に出入りすることのできない洋服の防虫カバーを提供する。【解決手段】前身頃４と後身頃を備え、上下の開口部を除いて左右側縁部が閉じている防虫カバーであって、前身頃及び後身頃のそれぞれの最上部には、中央の切り込みの左右にそれぞれ耳部２、３を設けると共に、前身頃または後身頃の外面上部に、後身頃の耳２または前身頃３の耳を接着するための接着部を設けたことを特徴とする。【選択図】図１
0003195133.tif 000002
【実用新案登録請求の範囲】
【請求項１】
カバーの前身頃と後身頃の最上部に切り込みを入れ、４枚の耳をつくり前身頃外面上部に着脱できるシーラーを帯状に塗り、前身頃２枚の耳と後身頃２枚の耳でそれぞれ左右からフックを挟み、前後の耳を向き合うように折り重ね、指で押えれば接着され隙間なく閉じることができる。
フックを出す時は、後身頃の耳の部分を指で剥せば開口されてフックを出すことができる。
【考案の詳細な説明】
【技術分野】
【０００１】  本考案はポリエチレン又はビニール系及び不織布の生地からなる防虫カバーに関する。
【背景技術】
【０００２】  従来の防虫カバーには洋服を出し入れするための開口部とハンガーフックを出し入れするための開口部と２つの開口部がある。
【考案の概要】
【考案が解決しようとする課題】
【０００３】  防虫カバー「以下（カバー）という」はハンガーフック「以下（フック）という」を出し入れする開口部を隙間なく閉じることが出来なければ、虫はちょっとした隙間よりカバー内に侵入する。従来のカバーはフック周りを隙間なく閉じれる構造になっていないので、虫はカバー内に侵入し、洋服は虫に喰われるという欠点がある。
【課題を解決するための手段】
【０００４】  図１のごとくカバーの前身頃と後身頃の最上部に切り込みを入れ、４枚の耳をつくり前身頃外面上部に着脱できるシーラーを帯状に塗り、前身頃２枚の耳と後身頃２枚の耳で、それぞれ左右からフックを挟み前後の耳を向き合うように折り重ね、指で押えれば接着され隙間なく閉じることができる。
フックを出す時は、後身頃の耳の部分を指で剥せば開口されてフックを出すことができる。
【考案の効果】
【０００５】  カバーはフック周りと底の部分を開閉できることにより、閉じているときは、ほとんど隙間がないため虫はカバー内に入れない。そのため洋服は虫食いの害から守られる。
【図面の簡単な説明】
【０００６】
【図１】本考案に係る４枚の耳の正面図である。
【図２】本考案に係るシーラーを帯状に塗った正面図である。
【図３】本考案に係る前後の耳を折り重ねた側面図である。
【図４】本考案にかかる全体図である。
【考案を実施するための形態】
【０００７】  ・図１に示すように、カバーの前身頃と後身頃の最上部に４枚の耳をつくる。
・図２に示すように、前身頃の外面上部に着脱できるシーラーを帯状に塗る。
・図３に示すように、フックを左右の耳で挟むようにして、前後の耳を向き合うように  折り重ね指で押えると、フック周りの開口部は接着され閉じることが出来る。
【０００８】  ・塗ったシーラーが他のカバーにつかないように、シーラーの表面にテープ状のシール  を貼り、洋服を仕舞う時はシールを剥ぎ、前後の耳をそれぞれ接着する。
・シーラーの代わりに両面テープを利用することも出来る。
【０００９】  フックを出す時は、後身頃耳を指で剥せば開口されフックを出すことができる。
【００１０】  カバー底の洋服を出し入れするための開口部は、チャックまたはスライダー付チャックで開閉することにより、洋服を出し入れすることができ、上記課題を解決するものである。
【００１１】  生地はポリエチレンまたはビニール、及び不織布の生地を使用する。クリーニング店が使用している包装用カバーも最上部は両面テープで接着し、底の部分は溶着機で溶着して塞げば、防虫カバーとして再利用できる。
【符号の説明】
【００１２】  １  ハンガーフック
２  後身頃の耳
３  前身頃の耳
４  前身頃
５  シーラー
６  後身頃
７  ハンガー
８  チャック
【図１】
0003195133.tif 000003
【図２】
0003195133.tif 000004
【図３】
0003195133.tif 000005
【図４】
0003195133.tif 000006
【手続補正書】
【提出日】平成26年10月2日(2014.10.2)
【手続補正１】
【補正対象書類名】実用新案登録請求の範囲
【補正対象項目名】全文
【補正方法】変更
【補正の内容】
【実用新案登録請求の範囲】
【請求項１】
前身頃と後身頃を備え、上下の開口部を除いて左右側縁部が閉じている防虫カバーであって、前記前身頃及び前記後身頃のそれぞれの最上部には、中央の切り込みの左右にそれぞれ耳部を設けると共に、前記前身頃または前記後身頃の外面上部に、前記後身頃の耳または前記前身頃の耳を接着するための接着部を設けたことを特徴とする洋服の防虫カバー。
(57)【要約】      （修正有）【課題】各人の体型に応じたサイズに調節することができる三角巾付きエプロンを提供する。【解決手段】各人にあったサイズに調整できるように、ゴム製の首紐を有し、該首紐はボタンホール加工されたことを特徴とする、三角巾付きエプロン。【選択図】図１
0003195134.tif 000002
【実用新案登録請求の範囲】
【請求項１】
エプロンを使用する際に各人にあったサイズに調整ができるように加工を施した三角巾付きエプロン
【考案の詳細な説明】
【技術分野】
【０００１】本考案は、体系・身長に合わせて着丈サイズを自在に調節することができるエプロンの改良に関するものである。
【背景技術】
【０００２】各家庭や学校等で調理やその他の作業を行なうときには、衣服の汚れを防止し、安全に作業を行なえるようにエプロンを着用するのが一般的である。
【考案の概要】
【考案が解決しようとする課題】
【０００３】従来のエプロンでは着丈サイズを調節する機能がなく首紐が布で製作されているため、エプロンを購入後にサイズが合わないため着用できない、
子どもの成長に応じて着丈のサイズ調整をすることができなかった。
【課題を解決するための手段】
【０００５】本考案は、従来のエプロンに着丈のサイズ調整ができる加工を施した。
【考案の効果】
【０００６】この考案により、子ども、各人の成長に応じてエプロンの首紐部分の長さを調整することができ商品を長く使用することができる。
【図面の簡単な説明】
【０００７】
【図１】本考案を実施するためのサイズ調整機能の図である。
【図２】本考案を実施するためのエプロンの全体図である。
【考案を実施するための形態】
【０００８】以下、この考案の実施するための形態について図面を参照して説明する。
【実施例１】
【０００９】図２は、本考案のサイズ調整機能部分であり従来の布製の首紐を長さ調整ができるように布製からゴム製にしたものである。
ゴム部分は適切なサイズを選択できるようにボタンホール加工（図２−▲１▼）を施しボタン（図２−▲２▼）で固定できるようにしている。
【産業上の利用可能性】
【００１０】本考案は、エプロンを使用する産業で利用される。
【符号の説明】
【００１１】１  ボタンホール加工部分
２  ボタン
【図１】
0003195134.tif 000003
【図２】
0003195134.tif 000004
【手続補正書】
【提出日】平成26年10月8日(2014.10.8)
【手続補正１】
【補正対象書類名】実用新案登録請求の範囲
【補正対象項目名】全文
【補正方法】変更
【補正の内容】
【実用新案登録請求の範囲】
【請求項１】
各人にあったサイズに調整できるように、ゴム製の首紐を有し、該首紐はボタンホール加工されたことを特徴とする、三角巾付きエプロン。
(57)【要約】      （修正有）【課題】見た目が普通のアクセサリーとなんら異ならず、しかも日常的に故人や縁故者、亡きペットと触れ合うことができ、毎日、人知れず供養することが可能、あるいは縁故者との一体感を感じることが可能なアクセサリーを提供する。【解決手段】銀粘土に故人や縁故者、亡くなったペットの身体形成物を混合し、焼成して形成する。身体形成物として遺骨を用いて形成する。または、身体形成物として毛髪を用いて形成する。【選択図】図１
0003195189.tif 000002
【実用新案登録請求の範囲】
【請求項１】
銀粘土に故人や縁故者、亡くなったペット等の身体形成物を混合し、焼成して形成されるアクセサリー。
【請求項２】
身体形成物が遺骨である請求項１に記載のアクセサリー。
【請求項３】
身体形成物が毛髪である請求項１に記載のアクセサリー。
【考案の詳細な説明】
【技術分野】
【０００１】
本考案はアクセサリーに関し、より詳しくは故人や亡きペットの遺骨、遺灰、毛髪等、あるいは縁故者の毛髪等を含有するアクセサリーに関する。
【背景技術】
【０００２】
ペットロスや親しい縁者の死による大きな精神的苦痛を軽減するため、遺骨の一部を常時携帯することがある。具体的にはペンダントトップやチャームとして使用するピルケースやピルケース型の金属ケースに故人や亡きペットの遺骨、遺灰を収納して手元供養するカロートネックレスなるものが市販されている。
【０００３】
この種のネックレスは、これを首に装着すれば、日常的に故人や亡きペットと触れ合うことができ、毎日、人知れず供養することができるというものである。
【０００４】
特許文献１には、光硬化型化学合成樹脂と光照射装置により人の毛髪や骨を密封埋封保存したメモリアル装身具が開示されている。
【０００５】
特許文献２には、硬化性を有する成型用樹脂により所定の形状に成型されたアクセサリーに遺骨を埋め込んだ装飾品が開示されている。
【０００６】
特許文献３には、真珠ルースの頂部にアクセサリーチェーン等にぶら下げるための金具が取り付けられた真珠のアクセサリーであって、真珠ルースの内部に、その内部が頂部側から刳り貫かれて遺骨の砕片や遺灰を収納するための空洞が形成されると共に、該空洞の入口が開口する真珠ルースの頂部に、前記空洞の入口に雌ねじ穴を配したナットが固設され、前記金具が、前記ナットと螺合するボルトを有し、該ボルトの頭部が、前記ナットを覆い隠す傘型形状に形成された真珠のアクセサリーが開示されている。
【先行技術文献】
【特許文献】
【０００７】
【特許文献１】特開２００６−２５５３６７号公報
【特許文献２】特開２００５−２７７１４号公報
【特許文献３】実用新案登録第３１３９４７７号公報
【考案の概要】
【考案が解決しようとする課題】
【０００８】
上記カロートネックレスは、そのケース内部に遺骨等が収納されていることが、他者にも分かることから、心理的圧迫感を与える恐れがある。
【０００９】
そこで本考案は、見た目が普通のアクセサリーとなんら異ならず、しかも日常的に故人や亡きペットと触れ合うことができ、毎日、人知れず供養することが可能なアクセサリーを提供することを目的とする。また、友人や知人、交際相手等の縁故者の身体形成物を含有し、身につけることで一体感や親密感を感じれるアクセサリーを提供することを目的とする。
【課題を解決するための手段】
【００１０】
上記の目的を達成する本考案の構成は次の通りである。
【００１１】
（１）  請求項１に記載の考案は、銀粘土に故人や縁故者、亡くなったペット等の身体形成物を混合し、焼成して形成した。
【００１２】
（２）  請求項２に記載の考案は、請求項１に記載のアクセサリーにおいて、身体形成物として遺骨を用いて形成した。
【００１３】
（３）  請求項３に記載の考案は、請求項１に記載のアクセサリーにおいて、身体形成物として毛髪を用いて形成した。
【考案の効果】
【００１４】
上記のように構成される本考案が、如何に作用して課題を解決するかを図面を参照しながら概説する。
【００１５】
本考案に係るアクセサリー、は銀粘土に故人や縁故者、亡くなったペットの身体形成物を混合し、焼成して形成される。
【００１６】
ここに銀粘土を形成している物質は、マイクロサイズの銀粉末、水分、結合材（バインダー）から成っており、粘土の状態で造形をしたあとに、乾燥させることで水分を蒸発させ、高温で焼くことで結合材が焼失し、純銀粉末を用いた場合、純度９９．９％の純銀だけが残ることになる。かような特質を持つ銀粘土に身体形成物を混合して焼成することから、本考案を指輪１として実施した図１に示すごとく、見た目は通常の銀製のアクセサリーとなんら異ならず、したがって、人知れず供養することが可能なアクセサリーを提供することが可能となるのである。
【００１７】
また、縁故者の身体形成物を混合して作成すれば、身に着けることで一体感や親密感を感じれるアクセサリーを提供することが可能となるのである。
【図面の簡単な説明】
【００１８】
【図１】本考案の実施例たる指輪の斜視図
【考案を実施するための形態】
【００１９】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２０】
本考案に係るアクセサリーは、銀粘土に故人や縁故者、亡くなったペットの身体形成物を混合し、焼成して形成してある。ここに銀粘土とはマイクロサイズまで微粒化した銀を結合材（バインダーと呼ばれる）などと混練した粘土状の素材である。銀の融点（９６１．９３℃）よりもかなり低い温度で焼結する特長を持ち、粘土細工を造形する要領で手軽に銀製アクセサリーを作ることができるものである。
【００２１】
より具体的な銀粘土の構成は、銀粉末と、セルローズと水とを配合してなるゼリー状バインダーと、フタル酸−ｎジブチルからなる粘着防止剤等から成るものである。
【００２２】
係る組成より成る銀粘土に、故人や縁故者、亡くなったペットの身体形成物、具体的には遺骨や毛髪を粉末状あるいは細分化したものを混合し、よく練ったうえで所望のアクセサリー形状に造形し、焼結するものである。焼結方法はガスコンロに焼成網をのせ、その上に前記造形物を置き、着火焼成するといった方法が可能である。
【符号の説明】
【００２３】
１・・指輪
【図１】
0003195189.tif 000003
(57)【要約】      （修正有）【課題】デザイン性が高く、冬場には防寒カバーとなり、イヤリング及びピアスの脱着もできるファッション耳カバーを提供する。【解決手段】耳１にすっぽり被せる耳カバー２であり、多様なデザイン模様を施す材料及び材質として布、皮革及び糸、生地、毛糸、金属糸、金属箔を施した薄板、ラメホログラム、ラメグリッター、薄板、箔、ラメ織物のいずれか１つを用い、各種布素材、ラメ素材、貝殻素材、貴金属素材、貴金属材において軽量な網目とする。耳たぶに近い位置にはイヤリングやピアスなどの装飾品４を着脱するための真円形のハトメ穴、ハート型、トランプのスペード型、ダイヤ型、木の葉型のいずれか１つの形状の穴３を開けることが好ましい。【選択図】図１
0003195129.tif 000002
【実用新案登録請求の範囲】
【請求項１】
耳（１）にすっぽり被せる耳カバー（２）において、その多様なデザイン模様を施す材質は布、皮革及び糸を織り込んだ生地、毛糸、金属糸、金属箔を施した薄板、ラメホログラム、ラメグリッター、薄板、箔、ラメ織物を素材として製造される事を特徴とする耳カバーの構造。
【請求項２】
前記耳カバーの耳たぶ位置にはイヤリングやピアスなどの装飾品を通して着脱すことが出来るための穴を空けて備える。穴の構造及び系形状においてはハトメ穴、ハート型およびトランプのスペード型、ダイヤ型、木の葉型であり、商品のマークでも良い。
【請求項３】
前記耳カバーの耳たぶよりも下の位置、つまり直接耳たぶに触れないで着脱、装着を為すことが出来るための位置にもイヤリングやピアスなどの装飾品を通して着脱すことが出来るための穴を備える。穴の構造及び系形状においてはハトメ穴、ハート型およびトランプのスペード型、ダイヤ型、木の葉型であり、あるいは商品のマークであることを特徴とする耳カバーの構造。
【請求項４】
本願考案の耳カバーは人間の耳のみならず飼い犬、飼い猫、ほか愛玩動物への装着も上記請求項同様の耳カバーの構造である。
【考案の詳細な説明】
【技術分野】
【０００１】  人間の耳に着せてデザイン性が高く、かつ冬場には防寒にも資するイヤリング及びピアスの脱着もできる耳カバー構造にかかわる。
【技術背景】
【０００２】  従来の装飾用に多用されるイヤリング及びピアスにおいては人の耳たぶに直接装着する方法が唯一であった。しかしながら本願考案に依れば多彩でファッショナブルなデザインの耳カバーを耳に着せて後、その耳たぶ付近に設けられた穴を通して着脱、あるいは直接耳カバーを挟んで取り付ける。
【考案の概要】
【考案が解決しようとする課題】
【０００３】  本願考案に依れば、これまではイヤリングに常設されたネジで耳の表裏から締めて固定していたため耳たぶを長期にわたり圧迫したり、あるいはタコが出来るなどあり、ピアスにおいては穴をあけるため傷つける必要迄あった。そこで、本願考案に依れば、耳に負担を無く目的の耳装飾が可能となる。
【課題を解決するための手段】
【０００４】  本願考案の耳カバー上の耳タブ付近にイヤリングを挟んで着脱、あるいは耳カバーに備わる穴を通して着脱する。
【図面の簡単な説明】
【０００５】
【図１】本願考案の耳カバーを耳に装着してイヤリングを着けた斜視図である。
【図２】本願考案の耳カバーの平面図である。
【符号の説明】
【０００６】１・・・・・・・  耳
２・・・・・・・  ラメをあしらった耳カバー
３・・・・・・・  耳カバーの穴
４・・・・・・・  イヤリング
【図１】
0003195129.tif 000003
【図２】
0003195129.tif 000004
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
耳（１）にすっぽり被せる耳カバー（２）において、その多様なデザイン模様を施す材料及び材質は布、皮革及び糸、生地、毛糸、金属糸、金属箔を施した薄板、ラメホログラム、ラメグリッター、薄板、箔、ラメ織物で各種布素材、ラメ素材、貝殻素材、貴金属素材、貴金属材においての軽量な網目製造も可能となる事を特徴とするファッション耳カバーの構造。
【請求項２】
前記耳カバーの耳たぶに近い位置にはイヤリングやピアスなどの装飾品を通して着脱することが出来るための真円形のハトメ穴やハート型およびトランプのスペード型、ダイヤ型、木の葉型の形状の穴（３）を開けたことを特徴とする請求項１記載のファッション耳カバーの構造。
【請求項３】
前記請求項２のファッション耳カバー（２）の耳たぶよりも下の位置、つまり直接耳たぶに触れないで着脱、装着を為すことが出来るための位置にもハトメ穴、ハート型およびトランプのスペード型、ダイヤ型、木の葉型の形状の耳カバーの穴（３）を設けて別売り装飾品（４）が該穴を通したことを特徴とする請求項２記載のファッション耳カバーの構造。
【請求項４】
本願考案の耳カバーは人間の耳のみならず犬、猫、ほか愛玩動物への装着においても従来のイヤリングなど比して耳たぶに外科的損傷をともなう穴をあける必要も無く安全かつ痛みを伴うことなく装着可能なことを特徴とする請求項１記載のファッション耳カバーの構造。
【手続補正書】
【提出日】平成26年10月8日(2014.10.8)
【手続補正１】
【補正対象書類名】実用新案登録請求の範囲
【補正対象項目名】全文
【補正方法】変更
【補正の内容】
【実用新案登録請求の範囲】
【請求項１】
耳（１）にすっぽり被せる耳カバー（２）において、その多様なデザイン模様を施す材料及び材質は布、皮革及び糸、生地、毛糸、金属糸、金属箔を施した薄板、ラメホログラム、ラメグリッター、薄板、箔、ラメ織物のいずれか１つを用いて各種布素材、ラメ素材、貝殻素材、貴金属素材、貴金属材において軽量な網目とすること特徴とするファッション耳カバーの構造。
【請求項２】
前記耳カバーの耳たぶに近い位置にはイヤリングやピアスなどの装飾品を通して着脱することが出来るための真円形のハトメ穴、ハート型、トランプのスペード型、ダイヤ型、木の葉型のいずれか１つの形状の穴（３）を開けたことを特徴とする請求項１記載のファッション耳カバーの構造。
【請求項３】
前記請求項２のファッション耳カバー（２）の耳たぶよりも下の位置、つまり直接耳たぶに触れないで着脱、装着を為すことが出来るための位置にもハトメ穴、ハート型およびトランプのスペード型、ダイヤ型、木の葉型のいずれか１つの形状の耳カバーの穴（３）を設けて別売り装飾品（４）が該穴を通したことを特徴とする請求項２記載のファッション耳カバーの構造。
【請求項４】
前記耳カバーは人間の耳のみならず犬、猫、ほか愛玩動物への装着においても従来のイヤリングなど比して耳たぶに外科的損傷をともなう穴をあける必要も無く安全かつ痛みを伴うことなく装着可能なことを特徴とする請求項１記載のファッション耳カバーの構造。
(57)【要約】      （修正有）【課題】バッグを持つ時に身体への重量負担を和らげることができるバッグ下部重量緩衝用衣服を提供する。【解決手段】左右の鎖骨の上部分から肩甲骨と肩間節までの間の部分および背中側の左右肩間節部分と肩甲骨から脊柱までの間の筋骨の部分に対応する衣類の部分に緩衝物を内部に入れた枕形状の袋部２を取り付ける。衣類の左右両脇の下と衣服の正面中央部の３箇所を切り切り開いて、１個又は数個のボタン１またはファスナーやベルトを取り付け衣服の着脱を容易にするのが好ましい。【選択図】図１
0003195130.tif 000002
【実用新案登録請求の範囲】
【請求項４】
【請求項１】
バッグ等の下部身体側に着用し、取り外しも簡単になるように衣服の下部３箇所にボタンやファスナアーなどでとめる形にした、バッグ下部重量緩衝用衣服。
【請求項２】
請求項１の衣服などの１部分にスポンジや綿などの緩衝物を入れてバック下部に位置する鎖骨や肩の骨部分や脊柱の骨部分を包むようにカバーした構造のバッグ下部重量緩衝用衣服。
【考案の詳細な説明】
【考案の開示】
【考案が解決しようとする課題】
【０００１】近年いろいろのバッグがでまわり、身体への負担が増している。
【課題を解決するための手段】
【０００２】いろいろのバッグの下部にスポンジや綿などの重量緩衝物を入れて鎖骨から肩の骨や脊柱の骨の部分を保護して身体への負担を少しでもやわらげる構造とした。
【考案の効果】
【０００３】バッグを所持着用するとき、バッグの下部の１部分に緩衝物をいれて着用することで筋骨などへの負担をへらす。
【実施例】
【０００４】通常の衣服を着用するように衣服をバッグのしたに着用して身体の筋骨部分を保護するように着用する。
【図面の簡単な説明】
【０００５】
【図１】本考案の正面図である。
【図２】本考案の背面図である。
【図３】本考案の側面図である。
【図４】本考案の断面後部の図である。
【図５】本考案の斜視図でバッグを着用する前の、半袖シャツの上から着た図である。
【符号の説明】
【０００６】１  衣服の下部に設けた３箇所のボタン。
２  鎖骨と肩の骨と脊柱の上の緩衝物入り袋
３  バッグ下部重量緩衝用衣服
【図１】
0003195130.tif 000003
【図２】
0003195130.tif 000004
【図３】
0003195130.tif 000005
【図４】
0003195130.tif 000006
【図５】
0003195130.tif 000007
【手続補正書】
【提出日】平成26年7月31日(2014.7.31)
【手続補正１】
【補正対象書類名】実用新案登録請求の範囲
【補正対象項目名】全文
【補正方法】変更
【補正の内容】
【実用新案登録請求の範囲】
【請求項１】
イ、いろいろのバッグ（リックサックや肩に重量負担のかかる物品）を肩にかけて持ち運ぶ際肩にかかる重量を緩和する為身体の左右の鎖骨の上部分から肩甲骨と肩関節までの間（三角筋および大胸筋を含む）の部分および背中側の左右肩関節部分と肩甲骨から脊柱までの間（三角筋および僧帽筋を含む）の筋骨の部分に強い負担がかかる為着用する衣服のその部分の箇所に枕のような形をした袋部分をつくりその中にスポンジや綿などの緩衝物をいれるようにする。か又は、一般の衣服の同様の部分の位置に緩衝物を入れた枕形状の小袋を１個または数個に分けて衣服に縫い付けるなどにより取り付けすることにより、肩にかかる重量負担を緩和する構造とすること。
ロ、イのいろいろのバッグを持ったままの状態でも衣服を首の後方から上に抜き取るように取り外しを容易にするためその衣服の左右両脇の下（袖を含む）と衣服の正面中央部の３箇所を切り開いてその部分を１個又は数個のボタンまたはファスナーやベルトを取り付け衣服の着脱を容易にした構造とすること。
ハ、イとロの構造を併用した短小形状のバッグ下部重量緩衝用衣服。
【請求項２】
請求項１のハの短小形状の衣服以外の衣服（一般的な半袖や長袖、その他身体に着用する衣服）に請求項１のイの肩の重量負担を緩和する構造のみを施したバッグ下部重量緩衝用衣服。
【手続補正２】
【補正対象書類名】図面
【補正対象項目名】全図
【補正方法】変更
【補正の内容】
【図１】
0003195130.tif 000008
【図２】
0003195130.tif 000009
【図３】
0003195130.tif 000010
【図４】
0003195130.tif 000011
【図５】
0003195130.tif 000012
【手続補正書】
【提出日】平成26年10月8日(2014.10.8)
【手続補正１】
【補正対象書類名】実用新案登録請求の範囲
【補正対象項目名】全文
【補正方法】変更
【補正の内容】
【実用新案登録請求の範囲】
【請求項１】
左右の鎖骨の上部分から肩甲骨と肩間節までの間の部分および背中側の左右肩間節部分と肩甲骨から脊柱までの間の筋骨の部分に対応する衣類の部分に緩衝物を内部に入れた枕形状の袋部を取り付けたことを特徴とするバッグ下部重量緩衝用衣服。
【請求項２】
衣類の左右両脇の下と衣服の正面中央部の３箇所を切り開いてその部分を１個又は数個のボタンまたはファスナーやベルトを取り付け衣服の着脱を容易にしたことを特徴とする請求項１に記載されたバッグ下部重量緩衝用衣服。